(57)【要約】      （修正有）【課題】指先で変形自在でありマグネットボードに貼り付けたり、付け替えて遊ぶことのできるわっか玩具及びわっか遊び装置を提供する。【解決手段】わっか玩具は、磁力によって貼り付きかつ変形自在な針金を長手方向の両端にそれぞれ埋設し固定したリボンを環状に構成し、そのリボンは、両端にそれぞれ上記針金を包み込み、内側同士を糊付けした紙テープからなる平紐と、平紐を包み込んだ化繊からなるテープとで構成されている。わっか遊び装置は、わっか玩具と、わっか玩具を変形し貼り付けて遊ぶマグネットボードと、少なくともわっか玩具及びマグネットボードを収納する箱体とを備える。【選択図】図１
0003199536.tif 000002
【実用新案登録請求の範囲】
【請求項１】
磁力によって貼り付きかつ変形自在な針金を長手方向の両端にそれぞれ埋設し固定したリボンを環状に構成したわっか玩具。
【請求項２】
磁力によって貼り付きかつ変形自在な針金を長手方向の両端にそれぞれ埋設し固定したリボンを環状に構成したわっか玩具であって、
該リボンは、両端にそれぞれ該針金を包み込み、内側同士を糊付けした紙テープからなる平紐と、該平紐を包み込んだ化繊からなるテープとで構成されていることを特徴とするわっか玩具。
【請求項３】
請求項１又は請求項２に記載のわっか玩具と、該わっか玩具を変形し貼り付けて遊ぶマグネットボードと、少なくとも該わっか玩具及び該マグネットボードを収納する箱体とを備えたわっか遊び装置。
【請求項４】
上記箱体の蓋は、２枚の蓋からなり、その一方の蓋を折り返して所定の角度で固定し、上記マグネットボードを箱体の内側から該一方の蓋に沿って立てかけることができるようにした請求項３に記載のわっか遊び装置。
【考案の詳細な説明】
【技術分野】
【０００１】
本考案は、変形自在であってマグネットボード等に貼付可能なわっか玩具及びわっか遊び装置に関する。
【背景技術】
【０００２】
イラスト等が印刷されているマグネットボードや磁力が反応する板に、着せ替え用の洋服や顔、髪型のイラストが切り抜かれた玩具を、マグネットボード又は板に貼り付けたり、付け変えて遊ぶような知育玩具は従来より知られている。（例えば、特許文献１〜３参照）
ところが、このような知育玩具は、玩具自体が変形自在となっていないために、指先を使い遊びながら、親子や学びの場でのコミュニケーョンを通じて小さなひらめきや柔軟な思考力を育むような知育玩具としては十分なものではなかった。
【先行技術文献】
【特許文献】
【０００３】
【特許文献１】実用新案登録第２５２４０９０号公報
【特許文献２】実用新案登録第３０４６１９６号公報
【特許文献３】実用新案登録第３１７１０１１号公報
【考案の概要】
【考案が解決しようとする課題】
【０００４】
本考案は、従来の知育玩具の問題点を解決し、指先で変形自在でありマグネットボードに貼り付けたり、付け替えて遊ぶことのできる玩具及びこのような玩具を収納することができるとともに、これを用いて遊ぶことができる装置を提供することを課題とする。
【課題を解決するための手段】
【０００５】
本考案の上記課題を解決するための手段は、次のとおりである。
（１）磁力によって貼り付きかつ変形自在な針金を長手方向の両端にそれぞれ埋設し固定したリボンを環状に構成したわっか玩具。
（２）磁力によって貼り付きかつ変形自在な針金を長手方向の両端にそれぞれ埋設し固定したリボンを環状に構成したわっか玩具であって、
該リボンは、両端にそれぞれ該針金を包み込み、内側同士を糊付けした紙テープからなる平紐と、該平紐を包み込んだ化繊からなるテープとで構成されていることを特徴とするわっか玩具。
（３）上記（１）又は（２）に記載のわっか玩具と、該わっか玩具を変形し貼り付けて遊ぶマグネットボードと、少なくとも該わっか玩具及び該マグネットボードを収納する箱体とを備えたわっか遊び装置。
（４）上記箱体の蓋は、２枚の蓋からなり、その一方の蓋を折り返して所定の角度で固定し、上記マグネットボードを箱体の内側から該一方の蓋に沿って立てかけることができるようにした上記（３）に記載のわっか遊び装置。
【考案の効果】
【０００６】
本考案によれば、指先で変形自在でありマグネットボードに貼り付けたり、付け替えて遊ぶことのできるわっか玩具が得られる。
さらに、本考案に係るわっか玩具によれば、次のような効果が得られる。
（１）指先を使い遊びながら、親子や学びの場でのコミニュケーョンを通じて小さなひらめきや柔軟な思考力を育むことができる。
（２）自ら考えて行動することで、創造性を育むことができる。
また、本考案に係るわっか遊び装置によれば、複数個のわっか玩具及びマグネットボードを収納することができるばかりでなく、箱体とその上蓋を利用してマグネットボードを立てかけて遊ぶこともできる。
【図面の簡単な説明】
【０００７】
【図１】本考案に係るわっか玩具の写真である。
【図２】本考案に係るわっか玩具の作製段階の写真である。
【図３】本考案に係るわっか玩具の作製段階の写真である。
【図４】本考案に係るわっか玩具の作製段階の写真である。
【図５】本考案に係るわっか玩具の作製段階の写真である。
【図６】本考案に係るわっか玩具によるわっか遊びの写真である。
【図７】本考案に係るわっか玩具によるわっか遊びの写真である。
【図８】本考案に係るわっか玩具によるわっか遊びの写真である。
【図９】本考案に係るわっか遊び装置の展開使用時の写真である。
【図１０】本考案に係るわっか遊び装置を使用したわっか遊び時の写真である。
【考案を実施するための形態】
【０００８】
（わっか玩具）
図１に本考案に係るわっか玩具の写真を示す。
本考案に係るわっか玩具は、磁力によって貼り付きかつ変形自在な針金を長手方向の両端にそれぞれ埋設し固定したリボンを環状に構成したものである。
特にそのリボンは、両端にそれぞれ上記針金を包み込み、内側同士を糊付けした紙テープからなる平紐と、平紐を包み込んだ化繊からなるテープとで構成されている。
【０００９】
（わっか玩具の作製例）
わっか玩具の作製例として、幅約１０ｍｍ、環状部の周囲長約３００ｍｍ、接合部分約２０ｍｍのわっか玩具の作製手順を、以下説明する。
【００１０】
先ず、幅２２ｍｍの長尺クラフト紙テープを用意し、これを三つ折りにし、三つ折りにした中央部分の両端に磁力によって貼り付きかつ変形自在な針金、例えば鉄線を入れ、糊で固定しワイヤー入り平紐を作る。
作製された平紐は、幅は約１０ｍｍで、長手方向の両端にそれぞれ上記針金を包み込み、クラフト紙テープの内側同士を糊付けしたものである。
完成した平紐は、長尺に巻き取られる。
図２は、参考のために平紐を切り出したその部分写真である。
【００１１】
次に、化繊からなり幅２４ｍｍの長尺テープに予め粘着剤を塗布し、図３に示す写真のように三つ折りにしながら上記平紐を包み込み、幅約１０ｍｍの長尺テープとして巻き取る。
次に、完成した長尺テープの貼り合せ目部分を隠し、さらに耐久性を増すために、図４に示す写真のように、化繊からなり予め粘着剤を塗布し７ｍｍにスリットした長尺テープを用いて貼り合せを行い、完成した長尺テープを再度巻き取る。
【００１２】
次に、再度巻き取られた長尺テープを引き出し、それぞれ長さ３２０ｍｍのリボンとなるように切断する。
その後、リボンの両端各２０ｍｍを糊しろとし、布用ボンドで止め乾燥させる。
最後に、図５に示す写真のように、幅２４ｍｍ、長さ４０ｍｍの予め粘着剤を塗布した布で繋目をくるむと、図１に示す写真のようなわっか玩具が完成する。
【００１３】
本考案に係るわっか玩具は、変形自在な針金が埋設されているため、自由自在に変形して所望の形状のものを創作することができる。また、磁力によってマグネットボードに貼り付けることができるため、マグネットボードの任意の位置で固定することもできる。
【００１４】
（わっか遊び）
図６ないし図８は、本考案に係るわっか玩具によるわっか遊びの写真である。
図６は、わっか玩具をそれぞれ変形し組み合わせて立体を作製し、マグネットボード上に配置した際の写真である。
図７は、５個のわっか玩具をそれぞれ変形して異なる形状の立体を作製し、マグネットボード上に配置した際の写真である。
【００１５】
図８は、５個のわっか玩具を用いてそれぞれ変形した立体を作製し、マグネットボード上に配置した際の写真である。図８から分かるように、５個のわっか玩具は磁力によりマグネットボードに貼り付いているため、立てても落下することはない。
【００１６】
（わっか遊び装置）
図９は、本考案に係るわっか遊び装置の展開使用時の写真である。
本考案に係るわっか遊び装置は、少なくとも複数個のわっか玩具と、わっか玩具を変形し貼り付けて遊ぶマグネットボードと、これらを収納する箱体で構成される。
箱体には水性ペン等の用具を収納することもできる。
【００１７】
箱体の上蓋は、２枚の上蓋で構成し、一方の上蓋を折り曲げて適当な角度で固定できるようにするのが好ましい。図９に示す写真のように、わっか玩具を変形し貼り付けて遊ぶマグネットボードを箱体に固定して遊ぶことができる。
【００１８】
また、図１０は、本考案に係るわっか遊び時の写真である。
すなわち、わっか玩具の使用者が、マグネットボードに描かれたイラストにあわせてわっか玩具を変形し貼り合わせて遊んでいる際の写真である。
【００１９】
本考案に係るわっか遊び装置では、マグネットボードのままで自由に遊ぶことができるが、マグネットボードに水性ペン等により絵を描いて、描いた作品にわっか玩具を貼り合わせて遊んだり、図１０に示す写真のように、背景だけのイラストに好きな形をイメージして、わっか玩具を変形したりして遊ぶこともできる。
【００２０】
以上、本考案に係るわっか玩具及びわっか遊び装置について好適な実施形態を例示して説明したが、これらの実施形態は本考案の技術的範囲を限定するものでなく、実用新案登録請求の範囲に記載された本考案の要旨を逸脱しない範囲内で各種の変更や修正を加えることができることは言うまでもないことである。
【図１】
0003199536.tif 000003
【図２】
0003199536.tif 000004
【図３】
0003199536.tif 000005
【図４】
0003199536.tif 000006
【図５】
0003199536.tif 000007
【図６】
0003199536.tif 000008
【図７】
0003199536.tif 000009
【図８】
0003199536.tif 000010
【図９】
0003199536.tif 000011
【図１０】
0003199536.tif 000012